【手続補正書】
【提出日】平成18年3月9日(2006.3.9)
【手続補正１】
【補正対象書類名】明細書
【補正対象項目名】特許請求の範囲
【補正方法】変更
【補正の内容】
【特許請求の範囲】
【請求項１】  ユニット内のサブユニットのプラグのコンフィグレーションをする第１のステップと、
上記第１のステップの後に、上記サブユニットのプラグと上記ユニットのプラグとを接続する第２のステップと、
上記第２のステップの後に、上記サブユニットのプラグに接続された上記ユニットのプラグを他のユニットのプラグに接続する第３のステップと
を備えることを特徴とするユニット接続設定方法。
【請求項２】  上記ユニットのプラグはアイソクロナスデータを取り扱う場合、チャネルの指定と接続数を示すカウンタのインクリメントとをして上記接続を行う
ことを特徴とする請求項１に記載のユニット接続設定方法。
【請求項３】  上記ユニットのプラグがアシンクロナスデータを取り扱うものである
ことを特徴とする請求項１に記載のユニット接続設定方法。
【請求項４】  第１のユニットと第２のユニットとを接続する際のユニット接続設定方法において、
上記第１のユニット内のサブユニットのプラグのコンフィグレーションをする第１のステップと、
上記第１のステップの後に、上記第１のユニット内のサブユニットのプラグと上記第１のユニットのプラグとを接続する第２のステップと、
上記第２のユニット内のサブユニットのプラグのコンフィグレーションをする第３のステップと、
上記第３のステップの後に、上記第２のユニット内のサブユニットのプラグと上記第２のユニットのプラグとを接続する第４のステップと、
上記第２のステップおよび上記第４のステップの後に、それぞれ上記サブユニットのプラグに接続された上記第１のユニットのプラグと上記第２のユニットのプラグとを接続する第５のステップと
を備えることを特徴とするユニット接続設定方法。
【請求項５】  上記第５のステップの後に、上記第２のユニットをデータ受信状態にする第６のステップと、
上記第６のステップの後に、上記第１のユニットをデータ送信状態にする第７のステップとを、さらに備える
ことを特徴とする請求項４に記載のユニット接続設定方法。
【請求項６】  ユニット内のサブユニットのプラグのコンフィグレーションをする第１のコンフィグレーション手段と、
上記サブユニットのプラグと上記ユニットのプラグとを接続する第１の接続手段と、
上記サブユニットのプラグに接続された上記ユニットのプラグを他のユニットのプラグに接続する第２の接続手段と、
上記第１のコンフィグレーション手段で上記サブユニットのプラグのコンフィグレーションをした後に、上記第１の接続手段で上記サブユニットのプラグと上記ユニットのプラグとを接続するように制御し、上記第１の接続手段で上記サブユニットのプラグと上記ユニットのプラグを接続した後に、上記第２の接続手段で上記サブユニットのプラグに接続された上記ユニットのプラグを他のユニットのプラグに接続するように制御する制御手段と
を備えることを特徴とするユニット接続設定装置。
【請求項７】  上記第２の接続手段は、上記ユニットのプラグがアイソクロナスデータを取り扱う場合、チャネルの指定と接続数を示すカウンタのインクリメントとをして上記接続を行う
ことを特徴とする請求項６に記載のユニット接続設定装置。
【請求項８】  上記ユニットのプラグは、アシンクロナスデータを取り扱うものである
ことを特徴とする請求項６に記載のユニット接続設定装置。
【請求項９】  第１のユニットと第２のユニットとを接続する際のユニット接続設定装置において、
上記第１のユニット内のサブユニットのプラグのコンフィグレーションをする第１のコンフィグレーション手段と、
上記第１のユニット内のサブユニットのプラグと上記第１のユニットのプラグとを接続する第１の接続手段と、
上記第２のユニット内のサブユニットのプラグのコンフィグレーションをする第２のコンフィグレーション手段と、
上記第２のユニットのサブユニットのプラグと上記第２のユニットのプラグとを接続する第２の接続手段と、
それぞれ上記サブユニットのプラグに接続された上記第１のユニットのプラグと上記第２のユニットのプラグとを接続する第３の接続手段と、
上記第１のコンフィグレーション手段で上記サブユニットのプラグのコンフィグレーションをした後に、上記第１の接続手段で上記サブユニットのプラグと上記第１のユニットのプラグとを接続するように制御し、上記第２のコンフィグレーション手段で上記サブユニットのプラグのコンフィグレーションをした後に、上記第２の接続手段で上記サブユニットのプラグと上記第２のユニットのプラグとを接続するように制御し、さらに上記第１の接続手段で上記サブユニットのプラグと上記第１のユニットのプラグとを接続すると共に、上記第２の接続手段で上記サブユニットのプラグと上記第２のユニットのプラグとを接続した後に、上記第３の接続手段でそれぞれ上記サブユニットのプラグに接続された上記第１のユニットのプラグと上記第２のユニットのプラグとを接続するように制御する制御手段と
を備えることを特徴とするユニット接続設定装置。
【請求項１０】  上記第２のユニットをデータ受信状態にする第１の状態設定手段と、
上記第１のユニットをデータ送信状態にする第２の状態設定手段と、
上記第３の接続手段でそれぞれ上記サブユニットのプラグに接続された上記第１のユニットのプラグと上記第２のユニットのプラグとを接続した後に、上記第１の状態設定手段で上記第２のユニットをデータ受信状態にし、その後に上記第２の状態設定手段で上記第１のユニットをデータ送信状態にするように制御する状態制御手段とをさらに備える
ことを特徴とする請求項９に記載のユニット接続設定装置。
【手続補正２】
【補正対象書類名】明細書
【補正対象項目名】０００１
【補正方法】変更
【補正の内容】
【０００１】
【発明の属する技術分野】
この発明は、例えばＩＥＥＥ１３９４バスで複数のユニット（ＩＥＥＥ１３９４ノード）が接続されてなるネットワークシステムに適用して好適なユニット接続設定方法およびユニット接続設定装置に関する。詳しくは、ユニット内のサブユニットのプラグのコンフィグレーションを行い、その後にサブユニットのプラグとユニットのプラグとを接続し、サブユニットのプラグに接続されたユニットのプラグを他のユニットのプラグに接続するというように接続設定の手順を決めることによって、接続設定の処理を常に良好に行い得るようにしたユニット接続設定方法およびユニット接続設定装置に係るものである。
【手続補正３】
【補正対象書類名】明細書
【補正対象項目名】０００６
【補正方法】変更
【補正の内容】
【０００６】
【課題を解決するための手段】
この発明に係るユニット接続設定方法は、ユニット内のサブユニットのプラグのコンフィグレーションをする第１のステップと、この第１のステップの後に、上記サブユニットのプラグと上記ユニットのプラグとを接続する第２のステップと、第２のステップの後に、サブユニットのプラグに接続されたユニットのプラグを他のユニットのプラグに接続する第３のステップとを備えるものである。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
この発明に係るユニット接続設定装置は、ユニット内のサブユニットのプラグのコンフィグレーションをする第１のコンフィグレーション手段と、上記サブユニットのプラグと上記ユニットのプラグとを接続する第１の接続手段と、上記サブユニットのプラグに接続された上記ユニットのプラグを他のユニットのプラグに接続する第２の接続手段と、上記第１のコンフィグレーション手段で上記サブユニットのプラグのコンフィグレーションをした後に、上記第１の接続手段で上記サブユニットのプラグと上記ユニットのプラグとを接続するように制御し、上記第１の接続手段で上記サブユニットのプラグと上記ユニットのプラグとを接続した後に、第２の接続手段で上記サブユニットのプラグに接続された上記ユニットのプラグを他のユニットのプラグに接続するように制御する制御手段とを備えるものである。
【手続補正６】
【補正対象書類名】明細書
【補正対象項目名】０００９
【補正方法】削除
【補正の内容】
【手続補正７】
【補正対象書類名】明細書
【補正対象項目名】００５０
【補正方法】変更
【補正の内容】
【００５０】
以上のようにして、チャンネルと帯域、出力プラグと入力プラグが確保されることで、アイソクロナス伝送における接続設定の処理が終了する。
また、図１３に戻って、プラグｏＡＰＲとプラグｉＡＰＲの接続は、AllOCATE&ALLOCATE_ATTACHコマンドを使用して行われる。さらに、プラグｏＥＸＴとｉＥＸＴの接続は、ユーザが接続する。
【手続補正８】
【補正対象書類名】明細書
【補正対象項目名】００５５
【補正方法】変更
【補正の内容】
【００５５】
【発明の効果】
この発明によれば、ユニット内のサブユニットのプラグのコンフィグレーションを行い、その後にサブユニットのプラグとユニットのプラグとを接続し、その後にサブユニットのプラグに接続されたユニットのプラグを他のユニットのプラグに接続するというように接続設定の手順を決めるものであり、接続設定の処理を常に良好に行うことができる。